(57)【要約】【課題】試験装置の診断結果に応じた解析資料データを使用者に提示する。【解決手段】被試験デバイスを試験する試験装置を診断する診断装置であって、試験装置の診断を行う診断部と、診断部における診断結果を表示する表示部と、試験装置の診断解析に用いるべき試験装置の技術情報が記載された解析資料データを予め格納する資料格納部と、表示部が表示する診断結果のそれぞれの表示項目と関連する解析資料データを、資料格納部からそれぞれ抽出し、当該表示項目と対応付ける資料抽出部と、診断結果におけるそれぞれの表示項目が、使用者により選択された場合に、当該表示項目に対応する解析資料データを、表示部に表示させる資料表示制御部とを備える診断装置を提供する。【選択図】図１
2007205726.tif 000002
【特許請求の範囲】
【請求項１】
被試験デバイスを試験する試験装置を診断する診断装置であって、
前記試験装置の診断を行う診断部と、
前記診断部における診断結果を表示する表示部と、
前記試験装置の診断解析に用いるべき前記試験装置の技術情報が記載された解析資料データを予め格納する資料格納部と、
前記表示部が表示する前記診断結果のそれぞれの表示項目と関連する前記解析資料データを、前記資料格納部からそれぞれ抽出し、当該表示項目と対応付ける資料抽出部と、
前記診断結果におけるそれぞれの前記表示項目が、使用者により選択された場合に、当該表示項目に対応する前記解析資料データを、前記表示部に表示させる資料表示制御部と
を備える診断装置。
【請求項２】
前記資料格納部は、前記診断部が行うそれぞれの診断の内容を示す診断識別情報に対応付けられた診断内容データと、前記故障箇所を示す部分識別情報に対応付けられた故障箇所データとを、前記解析資料データとして予め格納し、
前記資料抽出部は、前記表示部が表示する前記診断識別情報及び前記部分識別情報に対応する前記診断内容データ及び前記故障箇所データを抽出する
請求項１に記載の診断装置。
【請求項３】
前記表示部は、前記診断部が行ったそれぞれの診断の種類を示す前記診断識別情報と、それぞれの診断において前記診断部が検出した故障箇所を示す前記部分識別情報とを前記表示項目として表示し、
前記資料表示制御部は、前記使用者が前記診断識別情報を選択した場合に、当該診断識別情報に対応する前記診断内容データを前記表示部に表示させ、前記使用者が前記部分識別情報を選択した場合に、当該部分識別情報に対応する前記故障箇所データを前記表示部に表示させる
請求項２に記載の診断装置。
【請求項４】
前記使用者に提示すべき前記解析資料データのレベルを判定する使用者判定部を更に備え、
前記資料格納部は、レベルの異なる複数の前記解析資料データを格納し、
前記資料抽出部は、前記診断結果のそれぞれの前記表示項目に対して、前記使用者判定部が判定した前記レベルに応じた前記解析資料データを抽出する
請求項１に記載の診断装置。
【請求項５】
前記診断装置は、前記使用者の使用者情報が入力されたことを条件として、前記診断結果を表示し、
前記使用者判定部は、前記使用者の前記使用者情報に基づいて、前記使用者に提示すべき前記解析資料データのレベルを判定する
請求項４に記載の診断装置。
【請求項６】
それぞれの前記解析資料データに対して前記使用者が行った故障修復の内容を示す処理内容データを、それぞれの前記解析資料データに対応付けて蓄積する処理内容蓄積部を更に備え、
前記資料表示制御部は、前記使用者により選択された前記表示項目に対応する前記解析資料データと、当該解析資料データに対応する前記処理内容データとを表示する
請求項１に記載の診断装置。
【請求項７】
前記資料格納部は、それぞれの前記解析資料データを、予め定められた前記表示項目に予め対応付けて格納する
請求項１に記載の診断装置。
【請求項８】
前記資料抽出部は、前記使用者が選択した前記表示項目に、いずれの前記解析資料データも予め対応付けられていない場合に、当該表示項目に含まれる語句に基づいて、当該表示項目に対応するべき前記解析資料データを、前記資料格納部から検索する
請求項７に記載の診断装置。
【請求項９】
前記資料格納部は、前記資料抽出部が検索した前記解析資料データを、当該表示項目に新たに対応付ける
請求項８に記載の診断装置。
【請求項１０】
前記資料格納部は、それぞれの前記解析資料データを格納した時期と、それぞれの前記表示項目を前記解析資料データに対応付けた時期とを更に格納し、
前記資料抽出部は、
前記使用者が選択した前記表示項目に対し、予め対応付けられた前記解析資料データを抽出する抽出部と、
当該表示項目に対して前記解析資料データを対応付けた時期より遅い時期に、前記資料格納部が格納した前記解析資料データから、当該表示項目に対応するべき前記解析資料を検索する検索部と
を有する
請求項９に記載の診断装置。
【請求項１１】
前記診断部における前記診断結果を蓄積する履歴蓄積部を更に備え、
前記資料抽出部は、前記使用者により選択された前記表示項目と同一の前記表示項目を含む前記診断結果を、前記履歴蓄積部から更に抽出し、
前記資料表示制御部は、前記資料抽出部が抽出した過去の前記診断結果を更に表示させる
請求項１に記載の診断装置。
【請求項１２】
被試験デバイスを試験する試験装置を診断する診断装置を機能させるプログラムであって、
前記診断装置を、
前記試験装置の診断を行う診断部と、
前記診断部における診断結果を表示する表示部と、
前記試験装置の診断解析に必要な解析資料データを予め格納する資料格納部と、
前記表示部が表示する前記診断結果のそれぞれの表示項目と関連する前記解析資料データを、前記資料格納部からそれぞれ抽出し、当該表示項目と対応付ける資料抽出部と、
前記診断結果におけるそれぞれの前記表示項目が、使用者により選択された場合に、当該表示項目に対応する前記解析資料データを、前記表示部に表示させる資料表示制御部と
して機能させるプログラム。
【請求項１３】
請求項１２に記載のプログラムを格納した記録媒体。
【請求項１４】
被試験デバイスを試験する試験装置と、前記試験装置を診断する診断装置とを備える試験装置システムであって、
前記診断装置は、
前記試験装置の診断を行う診断部と、
前記診断部における診断結果を表示する表示部と、
前記試験装置の診断解析に用いるべき前記試験装置の技術情報が記載された解析資料データを予め格納する資料格納部と、
前記表示部が表示する前記診断結果のそれぞれの表示項目と関連する前記解析資料データを、前記資料格納部からそれぞれ抽出し、当該表示項目と対応付ける資料抽出部と、
前記診断結果におけるそれぞれの前記表示項目が、使用者により選択された場合に、当該表示項目に対応する前記解析資料データを、前記表示部に表示させる資料表示制御部と
を備える試験装置システム。
【発明の詳細な説明】
【技術分野】
【０００１】
本発明は、半導体回路等の被試験デバイスを試験する試験装置を診断する診断装置、診断装置を機能させるプログラム、プログラムを格納した記録媒体、及び試験装置システムに関する。
【背景技術】
【０００２】
従来、半導体回路等の被試験デバイスの出荷前等に、被試験デバイスが所定のスペックを満たすか否かを試験している。当該試験には、被試験デバイスの様々な機能を試験できる試験装置が用いられている。このため、当該試験装置は、様々な機能を有している。
【０００３】
また、被試験デバイスの試験を精度よく行うために、被試験デバイスの試験前、又は所定の期間毎に試験装置が正常に動作しているかを診断している。従来の診断装置は、診断結果を所定の書式のテキストファイルとして出力する。また、当該テキストファイルの内容を表示している。
【０００４】
例えば従来の診断装置は、診断内容を示す診断項目、診断を行った診断箇所を示す識別情報、及びそれぞれの診断結果を表示している。試験装置及び診断装置の使用者は、当該表示内容に基づいて、試験装置の故障箇所、故障内容を特定し、試験装置の修理復旧を行っている。
【０００５】
現在、関連する特許文献等は認識していないので、その記載を省略する。
【発明の開示】
【発明が解決しようとする課題】
【０００６】
しかし、従来の診断装置は、診断項目及び診断箇所の識別情報を示すが、診断の内容、診断箇所が試験装置のどの位置に有るか等の具体的な診断内容は表示しない。このため、使用者は、自己の経験及び関連資料等に基づいて、当該診断項目の具体的内容及び診断箇所の物理的な位置等を把握している。
【０００７】
しかし、試験装置の診断内容は多岐に渡るので、自己の経験に基づいて診断結果の具体的内容を把握するには、相当の熟練を必要とする。また、診断結果に対応する関連資料を参照する場合であっても、相当量の資料から関連資料を抽出する必要があり、ある程度の熟練を必要とする。また関連資料を抽出するのに時間がかかる場合もある。このように、従来の診断装置では、診断結果の具体的な内容を把握することが困難であった。
【０００８】
このため本発明は上記の課題を解決する診断装置、プログラム、記録媒体、及び試験装置システムを提供することを目的とする。この目的は、請求の範囲における独立項に記載の特徴の組み合わせにより達成される。また従属項は本発明の更なる有利な具体例を規定する。
【課題を解決するための手段】
【０００９】
上記課題を解決するために、本発明の第１形態においては、被試験デバイスを試験する試験装置を診断する診断装置であって、試験装置の診断を行う診断部と、診断部における診断結果を表示する表示部と、試験装置の診断解析に用いるべき試験装置の技術情報が記載された解析資料データを予め格納する資料格納部と、表示部が表示する診断結果のそれぞれの表示項目と関連する解析資料データを、資料格納部からそれぞれ抽出し、当該表示項目と対応付ける資料抽出部と、診断結果におけるそれぞれの表示項目が、使用者により選択された場合に、当該表示項目に対応する解析資料データを、表示部に表示させる資料表示制御部とを備える診断装置を提供する。
【００１０】
表示部は、診断部が行ったそれぞれの診断の種類を示す診断識別情報と、それぞれの診断において診断部が検出した故障箇所を示す部分識別情報とを前記表示項目として表示し、資料表示制御部は、使用者が診断識別情報を選択した場合に、当該診断識別情報に対応する解析資料データを表示部に表示させ、使用者が部分識別情報を選択した場合に、当該部分識別情報に対応する解析資料データを表示部に表示させてよい。
【００１１】
資料格納部は、診断部が行うそれぞれの診断の内容を示す診断内容データと、それぞれの故障箇所に関する故障箇所データとを、解析資料データとして予め格納し、資料抽出部は、表示部が表示する診断識別情報に対応する診断内容データと、表示部が表示する部分識別情報に対応する故障箇所データとを抽出してよい。
【００１２】
使用者に提示すべき解析資料データのレベルを判定する使用者判定部を更に備え、資料格納部は、レベルの異なる複数の解析資料データを格納し、資料抽出部は、診断結果のそれぞれの表示項目に対して、使用者判定部が判定したレベルに応じた解析資料データを抽出してよい。
【００１３】
診断装置は、使用者の使用者情報が入力されたことを条件として、診断結果を表示し、使用者判定部は、使用者の使用者情報に基づいて、使用者に提示すべき解析資料データのレベルを判定してよい。
【００１４】
それぞれの解析資料データに対して使用者が行った故障修復の内容を示す処理内容データを、それぞれの解析資料データに対応付けて蓄積する処理内容蓄積部を更に備え、資料表示制御部は、使用者により選択された表示項目に対応する解析資料データと、当該解析資料データに対応する処理内容データとを表示してよい。
【００１５】
資料格納部は、それぞれの解析資料データを、予め定められた前記表示項目に予め対応付けて格納してよい。資料抽出部は、使用者が選択した前記表示項目に、いずれの解析資料データも予め対応付けられていない場合に、当該表示項目に含まれる語句に基づいて、当該表示項目に対応するべき解析資料データを、資料格納部から検索してよい。
【００１６】
資料格納部は、資料抽出部が検索した解析資料データを、当該表示項目に新たに対応付けてよい。資料格納部は、それぞれの解析資料データを格納した時期と、それぞれの表示項目を解析資料データに対応付けた時期とを更に格納し、資料抽出部は、使用者が選択した表示項目に対し、予め対応付けられた解析資料データを抽出する抽出部と、当該表示項目に対して解析資料データを対応付けた時期より遅い時期に、資料格納部が格納した解析資料データから、当該表示項目に対応するべき解析資料を検索する検索部とを有してよい。
【００１７】
診断装置は、診断部における診断結果を蓄積する履歴蓄積部を更に備え、資料抽出部は、使用者により選択された表示項目と同一の表示項目を含む診断結果を、履歴蓄積部から更に抽出し、資料表示制御部は、資料抽出部が抽出した過去の診断結果を更に表示させてよい。
【００１８】
本発明の第２の形態においては、被試験デバイスを試験する試験装置を診断する診断装置を機能させるプログラムであって、診断装置を、試験装置の診断を行う診断部と、診断部における診断結果を表示する表示部と、試験装置の診断解析に必要な解析資料データを予め格納する資料格納部と、表示部が表示する診断結果のそれぞれの表示項目と関連する解析資料データを、資料格納部からそれぞれ抽出し、当該表示項目と対応付ける資料抽出部と、診断結果におけるそれぞれの表示項目が、使用者により選択された場合に、当該表示項目に対応する解析資料データを、表示部に表示させる資料表示制御部として機能させるプログラムを提供する。
【００１９】
本発明の第３の形態においては、上記プログラムを格納した記録媒体を提供する。本発明の第４の形態においては、被試験デバイスを試験する試験装置と、試験装置を診断する診断装置とを備える試験装置システムであって、診断装置は、試験装置の診断を行う診断部と、診断部における診断結果を表示する表示部と、試験装置の診断解析に用いるべき試験装置の技術情報が記載された解析資料データを予め格納する資料格納部と、表示部が表示する診断結果のそれぞれの表示項目と関連する解析資料データを、資料格納部からそれぞれ抽出し、当該表示項目と対応付ける資料抽出部と、診断結果におけるそれぞれの表示項目が、使用者により選択された場合に、当該表示項目に対応する解析資料データを、表示部に表示させる資料表示制御部とを備える試験装置システムを提供する。
【００２０】
なお、上記の発明の概要は、本発明の必要な特徴の全てを列挙したものではなく、これらの特徴群のサブコンビネーションもまた、発明となりうる。
【発明を実施するための最良の形態】
【００２１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２２】
図１は、本発明の実施形態に係る試験装置システム１００の構成の一例を示す図である。試験装置システム１００は、試験装置１０及び診断装置２０を備える。試験装置１０は、半導体回路等の被試験デバイス２００を試験する装置であって、本体部１２、テストヘッド１６、及びパフォーマンスボード１８を備える。
【００２３】
本体部１２は、テストヘッド１６及びパフォーマンスボード１８を介して被試験デバイス２００と信号の授受を行い、被試験デバイス２００の試験を行う。例えば本体部１２は、被試験デバイス２００を駆動する電源電力、被試験デバイス２００に入力するパターン信号、被試験デバイス２００を制御する制御信号等を生成し、被試験デバイス２００に供給してよい。また本体部１２は、被試験デバイス２００が出力する出力信号、又は被試験デバイス２００に供給される電源電圧、電源電流等に基づいて、被試験デバイス２００の良否を判定してよい。
【００２４】
本体部１２は、被試験デバイス２００の試験に必要な複数の機能を有している。また、本体部１２は、それぞれの機能を実現する回路が形成された複数のテストボード１４を有してよい。それぞれのテストボード１４は、本体部１２に設けられたスロットに着脱可能に設けられる。
【００２５】
テストヘッド１６は、パフォーマンスボード１８を載置する。また、テストヘッド１６は、本体部１２とケーブルを介して電気的に接続され、本体部１２とパフォーマンスボードとの間で信号の授受を行う。
【００２６】
パフォーマンスボード１８は、被試験デバイス２００を載置する。また、パフォーマンスボード１８は、テストヘッド１６と被試験デバイス２００との間で信号の授受を行う。以上、試験装置１０の概要を説明したが、試験装置１０の構成は上記の構成に限定されない。
【００２７】
診断装置２０は、試験装置１０を診断する。例えば、診断装置２０は、試験装置１０の各構成要素が正常に動作するか否かを診断する。当該構成要素は、上述した本体部１２、テストボード１４、テストヘッド１６、及びパフォーマンスボード１８の構成単位には限定されない。診断装置２０は、試験装置１０において、より小さい単位の構成要素毎に診断を行うことができる。診断装置２０は、表示部２２、診断部２４、資料表示制御部２６、資料抽出部２８、入力部３０、及び資料格納部３２を備える。
【００２８】
診断部２４は、上述したように試験装置１０の診断を行う。また、診断部２４は、診断部２４が行ったそれぞれの診断の種類を示す診断識別情報と、それぞれの診断において診断部２４が検出した故障箇所を示す部分識別情報とを含む診断結果ファイルを出力する。当該ファイルは、例えばｈｔｍｌ形式等のファイルである。
【００２９】
表示部２２は、診断部２４が出力する診断結果ファイルに基づいて、診断部２４における診断結果を表示する。例えば、診断部２４は、診断結果ファイルに含まれる診断識別情報、及び部分識別情報の各表示項目を対応付けて表示する。
【００３０】
資料格納部３２は、試験装置１０の診断解析に用いるべき試験装置１０の技術情報が記載された解析資料データを予め格納する。解析資料データは、例えば試験装置１０、試験装置１０の各構成要素、及び診断装置２０の仕様書並びにマニュアル等の電子データであってよい。
【００３１】
資料抽出部２８は、表示部２２が表示する診断結果のそれぞれの表示項目と関連する解析資料データを、資料格納部３２から抽出する。例えば、資料格納部３２は、それぞれの表示項目と、それぞれの解析資料データとを予め関連付けて格納しており、資料抽出部２８は、診断部２４が出力する診断結果ファイルに含まれるそれぞれの表示項目に対応する解析資料データを抽出してよい。また、資料抽出部２８は、抽出したそれぞれの解析資料データを、それぞれの表示項目と対応付けて資料表示制御部２６に通知する。
【００３２】
入力部３０は、使用者が入力する情報を受け取る。例えば入力部３０は、キーボード又はマウス等の手段を介して、使用者からの情報を受け取る。また入力部３０は、使用者からの情報に応じて、表示部２２が表示する診断結果のそれぞれの表示項目を選択できる。
【００３３】
資料表示制御部２６は、いずれかの表示項目が使用者により選択された場合に、当該表示項目に対応する解析資料データを、表示部２２に表示させる。例えば、資料抽出部２８は、抽出した解析資料データの、資料格納部３２におけるアドレスを資料表示制御部２６に通知してよい。この場合、資料表示制御部２６は、選択された表示項目に対応する解析資料データのアドレスに基づいて、資料格納部３２から解析資料データを読み出し、表示部２２に表示させてよい。
【００３４】
このような構成により、診断結果を解析するのに必要な技術情報を使用者に提供することができる。このため、使用者は、診断結果を短時間で容易に解析することができる。また、表示部２２は、解析資料データが対応付けられた表示項目を、他の表示項目とは異なる書式で表示してよい。
【００３５】
図２は、表示部２２が表示する診断結果の一例を示す図である。図２に示すように、表示部２２は、診断した試験装置１０の種類を示す試験装置識別情報３４、行った診断の種類を示す診断識別情報３６、それぞれの診断において検出した故障箇所を示す部分識別情報（３８、４０、４２）を表示する。
【００３６】
試験装置識別情報３４は、例えば試験装置１０の機種名（Ｔｘｘｘｘ）であってよい。また、診断識別情報３６は、診断装置２０が行うことができるそれぞれの診断内容に対して予め設定される識別情報であってよい。
【００３７】
例えば、診断装置２０は、試験装置１０の各構成要素に対して、所定の信号を正常に入出力できるか否かの診断、設置されるパフォーマンスボード１８、テストボード１４等の種類を識別できるか否かの診断、所定のレベルの電源電力を出力できるか否かの診断、各構成要素間の接続診断、リーク電流の診断、フェイルメモリの診断、スイッチ回路の動作診断等を行うことができる。診断識別情報３６は、上記のそれぞれの診断に対して予め設定される。
【００３８】
また、部分識別情報（３８、４０、４２）は、診断装置２０が診断を行うことができる試験装置１０のそれぞれの構成要素に対して予め設定される識別情報であってよい。部分識別情報（３８、４０、４２）は、当該構成要素が設けられる試験装置１０内の物理的位置を示す情報であってもよい。
【００３９】
例えば、診断装置２０は、テストヘッド１６の各ピン、本体部１２に設置される各テストボード１４、本体部１２の各ピン等のそれぞれの構成要素を診断することができる。部分識別情報（３８、４０、４２）は、上記のそれぞれの構成要素に対して予め設定される。
【００４０】
本例において、部分識別情報３８は、当該構成要素が設けられる試験装置１０のスロット番号を示す。また部分識別情報４０は、当該構成要素の規格を示す情報であり、部分識別情報４２は、当該構成要素が設けられるボードを示す情報である。
【００４１】
図３は、資料格納部３２が格納する解析資料データの一例を示す図である。資料格納部３２は、診断部２４が行うそれぞれの診断の内容を示す診断内容データ４６と、それぞれの故障箇所に関する故障箇所データ５０とを、解析資料データとして予め格納する。診断内容データ４６は、それぞれの診断識別情報３６に対応付けられた複数の診断詳細データ４８を含む。また、故障箇所データ５０は、それぞれの部分識別情報３８に対応付けられた複数の部分詳細データ５２を含む。
【００４２】
診断詳細データ４８は、例えば診断装置２０の仕様書において、当該診断に該当する箇所の電子データであってよい。診断詳細データ４８は、例えば当該診断の具体的内容を示すデータである。また、部分詳細データ５２は、例えば試験装置１０の仕様書において、当該部分に該当する箇所の電子データであってよい。部分詳細データは、例えば当該部分が試験装置１０に設けられる物理的な位置、当該部分の仕様等を示すデータであってよい。また、資料格納部３２は、診断内容データ４６及び故障箇所データ５０を、試験装置１０の機種毎の解析資料データ４４を格納してよい。
【００４３】
資料抽出部２８は、表示部２２が表示する診断識別情報３６に対応する診断内容データ４６と、表示部２２が表示する部分識別情報（３８、４０、４２）に対応する故障箇所データ５０とを抽出する。また、資料表示制御部２６は、使用者が診断識別情報３６を選択した場合に、対応する診断内容データ４６を表示部２２に表示させ、使用者が部分識別情報（３８、４０、４２）を選択した場合に、対応する故障箇所データを表示部２２に表示させる。このような処理により、診断結果を解析するのに必要な技術情報を使用者に提供することができる。このため、使用者は、診断結果を短時間で容易に解析することができる。
【００４４】
図４は、診断装置２０の構成の他の例を示す図である。本例における診断装置２０は、図１に関連して説明した診断装置２０の構成の加え、使用者判定部５４及び使用者情報格納部５６を更に備える。他の構成要素は、図１において同一の符号を付した構成要素と同一又は同様の機能及び構成を有する。
【００４５】
また、本例における資料格納部３２は、レベルの異なる複数の解析資料データを格納する。例えば、資料格納部３２は、それぞれの診断識別情報３６及び部分識別情報３８に対応して、技術レベルの異なる診断内容データ４６及び故障箇所データ５０を格納してよい。ここで、技術レベルが異なるとは、例えば記載の詳細度が異なるデータであってよい。また、資料格納部３２は、情報管理レベルの異なる複数の解析資料データを格納してもよい。例えば、機密情報が含まれる解析資料データを、情報管理レベルの高い解析資料データとして格納してよい。
【００４６】
使用者判定部５４は、使用者に提示すべき解析資料データのレベルを判定する。例えば、診断装置２０は、使用者の識別情報（ＩＤ）等の使用者情報が、入力部３０を介して入力されたことを条件として診断結果を表示してよい。この場合、使用者判定部５４は、当該使用者情報に基づいて、使用者に提示すべき解析資料データのレベルを判定する。
【００４７】
また、使用者情報格納部５６は、使用者情報と、当該使用者のレベルとを対応付けて予め格納する。使用者判定部５４は、入力部３０に入力された使用者情報に対応するレベルを、使用者情報格納部５６から検出することにより、使用者のレベルを判定してよい。
【００４８】
資料抽出部２８は、診断結果のそれぞれの表示項目に対して、使用者判定部５４が判定したレベルに応じた解析資料データを抽出する。このような構成により、使用者の技術レベル、情報管理レベルに応じた解析資料データを提示することができる。
【００４９】
図５は、診断装置２０の構成の他の例を示す図である。本例における診断装置２０は、図１又は図４に示した診断装置２０の構成に加え、履歴蓄積部５８及び処理内容蓄積部６０を更に備える。
【００５０】
履歴蓄積部５８は、診断部２４における診断結果を蓄積する。例えば、履歴蓄積部５８は、当該診断結果に含まれる表示項目に応じて診断結果を分類して蓄積してよい。資料抽出部２８は、表示部２２が表示した診断結果において使用者により選択された表示項目と同一の表示項目を含む診断結果を、履歴蓄積部５８から抽出する。
【００５１】
資料表示制御部２６は、資料抽出部２８が抽出した過去の診断結果を表示部２２に更に表示させる。このような構成により、表示部２２が表示している現在の診断結果と関連する過去の診断結果を、使用者に提示することができる。これにより、使用者は当該診断結果をより精度よく解析することができる。
【００５２】
処理内容蓄積部６０は、表示部２２が表示したそれぞれの解析資料データに対して、使用者が行った故障修復の内容を示す処理内容データを、それぞれの解析資料データに対応付けて蓄積する。また、処理内容蓄積部６０は、表示部２２が表示した表示項目に対応付けて、処理内容データを蓄積してもよい。ここで、処理内容データとは、使用者が入力部３０を介して入力するデータであってよい。
【００５３】
資料抽出部２８は、表示部２２が表示した解析資料データに対応する処理内容データを、処理内容蓄積部６０から抽出する。又は、資料抽出部２８は、表示部２２が表示した表示項目に対応する処理内容データを、処理内容蓄積部６０から抽出してもよい。資料表示制御部２６は、資料抽出部２８が抽出した過去の処理内容データを、表示部２２に更に表示させる。このような構成により、表示部２２が表示している現在の診断結果と同種の診断結果に対して行われた故障修復の内容を、現在の使用者に提示することができる。これにより、使用者は試験装置の故障修復を容易に行うことができる。
【００５４】
図６は、診断装置２０の構成の他の例を示す図である。本例における診断装置２０の資料抽出部２８は、抽出部６２及び検索部６４を有する。他の構成要素については、図１、図４、又は図５において説明した診断装置２０と同一である。
【００５５】
抽出部６２は、表示部２２が表示するそれぞれの表示項目に対応する解析資料データを、資料格納部３２から抽出する。また、検索部６４は、使用者が選択した表示項目に、いずれの解析資料データも予め対応付けられていない場合に、当該表示項目に含まれる語句に基づいて、表示項目に対応するべき解析資料データを、資料格納部３２から検索する。
【００５６】
例えば、資料格納部３２に解析資料データを格納した後に、診断部２４において新たな診断内容又は診断対象を追加した場合、当該診断内容を示す診断識別情報３６及び当該診断対象を示す部分識別情報（３８、４０、４２）には、解析資料データが対応付けられていない。この場合、検索部６４は、診断識別情報３６又は部分識別情報（３８、４０、４２）の少なくとも一部が含まれる解析資料データを検索してよい。また、資料格納部３２は、検索部６４が検索した解析資料データを、当該表示項目に新たに対応付けてよい。これにより、診断内容等を新たに追加した場合であっても、解析資料データと表示項目とを使用者が対応付けることなく、当該診断内容等に対応する解析資料データを使用者に提示することができる。
【００５７】
また、資料格納部３２には、新たな解析資料データが使用者により随時格納されてよい。この場合、資料格納部３２は、それぞれの解析資料データを格納した時期と、それぞれの表示項目を解析資料データに対応付けた時期とを更に格納してよい。検索部６４は、資料格納部３２が格納した解析資料データのうち、それぞれの表示項目に対して解析資料データを対応付けた時期より遅い時期に資料格納部３２に格納した解析資料データから、当該表示項目に対応するべき解析資料データを検索してよい。
【００５８】
資料抽出部２８は、抽出部６２が抽出した解析資料データと、検索部６４が検索した解析資料データとを資料表示制御部２６に通知する。この場合においても、資料格納部３２は、検索部６４が検索した解析資料データを、当該表示項目に新たに対応付けてよい。これにより、新たに解析資料データを追加した場合であっても、解析資料データと表示項目とを使用者が対応付けることなく、使用者に最新の解析資料データを提示することができる。
【００５９】
また、診断装置２０の構成例を、図１、図４、図５、及び図６において説明したが、診断装置２０は、それぞれの構成例を組み合わせたものであってよい。例えば、診断装置２０は、図１に示した構成に加え、使用者判定部５４、使用者情報格納部５６、履歴蓄積部５８、処理内容蓄積部６０、抽出部６２、及び検索部６４のうちの任意の構成を備えてよい。
【００６０】
図７は、診断装置２０を制御するコンピュータ４００の構成の一例を示す図である。本例において、コンピュータ４００は、診断装置２０を、図１から図６において説明したように機能させるプログラムを格納し、当該プログラムに基づいて診断装置２０を制御する。
【００６１】
コンピュータ４００は、ＣＰＵ７００と、ＲＯＭ７０２と、ＲＡＭ７０４と、通信インターフェース７０６と、ハードディスクドライブ７１０と、ＦＤドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００６２】
また、コンピュータ４００は、当該プログラムに基づいて診断装置２０として機能してもよい。例えば、ＣＰＵ７００及びＲＡＭ７０４が、診断部２４、資料表示制御部２６、及び資料抽出部２８として機能し、ハードディスクドライブ７１０が、資料格納部３２として機能してよい。また、コンピュータ４００は、表示部２２として機能するモニタ、入力部３０として機能するキーボード又はマウス等の入力手段を更に備えてよい。
【００６３】
通信インターフェース７０６は、例えば診断装置２０及び試験装置１０と通信し、診断装置２０及び試験装置１０を制御する。格納装置の一例としてのハードディスクドライブ７１０は、コンピュータ４００の設定情報及びＣＰＵ７００を動作させるプログラムを格納する。ＲＯＭ７０２、ＲＡＭ７０４、及び／又はハードディスクドライブ７１０は、診断装置２０を機能させるためのプログラムを格納する。また、当該プログラムは、フレキシブルディスク７２０、ＣＤ−ＲＯＭ７２２、ハードディスクドライブ７１０等の記録媒体に格納されていてもよい。
【００６４】
ＦＤドライブ７１２はフレキシブルディスク７２０からプログラムを読み取りＣＰＵ７００に提供する。ＣＤ−ＲＯＭドライブ７１４はＣＤ−ＲＯＭ７２２からプログラムを読み取りＣＰＵ７００に提供する。
【００６５】
また、プログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００６６】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリ等を用いることができる。又、専用通信ネットワークやインターネットに接続されたサーバシステムに設けたハードディスクまたはＲＡＭ等の格納装置を記録媒体として使用してもよい。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００６８】
以上から明らかなように、本発明によれば、試験装置の診断結果に応じた解析資料データを使用者に提示することにより、診断結果の解析を容易にすることができる。
【図面の簡単な説明】
【００６９】
【図１】本発明の実施形態に係る試験装置システム１００の構成の一例を示す図である。
【図２】表示部２２が表示する診断結果の一例を示す図である。
【図３】資料格納部３２が格納する解析資料データの一例を示す図である。
【図４】診断装置２０の構成の他の例を示す図である。
【図５】診断装置２０の構成の他の例を示す図である。
【図６】診断装置２０の構成の他の例を示す図である。
【図７】診断装置２０を制御するコンピュータ４００の構成の一例を示す図である。
【符号の説明】
【００７０】
１０・・・試験装置、１２・・・本体部、１４・・・テストボード、１６・・・テストヘッド、１８・・・パフォーマンスボード、２０・・・診断装置、２２・・・表示部、２４・・・診断部、２６・・・資料表示制御部、２８・・・資料抽出部、３０・・・入力部、３２・・・資料格納部、３４・・・試験装置識別情報、３６・・・診断識別情報、３８、４０、４２・・・部分識別情報、４４・・・解析資料データ、４６・・・診断内容データ、４８・・・診断詳細データ、５０・・・故障箇所データ、５２・・・部分詳細データ、５４・・・使用者判定部、５６・・・使用者情報格納部、５８・・・履歴蓄積部、６０・・・処理内容蓄積部、６２・・・抽出部、６４・・・検索部、１００・・・試験装置システム、２００・・・被試験デバイス、４００・・・コンピュータ、７００・・・ＣＰＵ、７０２・・・ＲＯＭ、７０４・・・ＲＡＭ、７０６・・・通信インターフェース、７１０・・・ハードディスクドライブ、７１２・・・ＦＤドライブ、７１４・・・ＣＤ−ＲＯＭ、７２０・・・フレキシブルディスク、７２２・・・ＣＤ−ＲＯＭ
【図１】
2007205726.tif 000003
【図２】
2007205726.tif 000004
【図３】
2007205726.tif 000005
【図４】
2007205726.tif 000006
【図５】
2007205726.tif 000007
【図６】
2007205726.tif 000008
【図７】
2007205726.tif 000009